(57)【要約】【課題】各種機能の設定を行い易いＡＶ機器を提供することを目的とすることである。【解決手段】設定画面を表示する設定画面表示部と、前記設定画面表示部が設定画面に表示した設定項目に対して設定の可否を判定する判定部と、前記判定部が設定不可と判定した設定項目が設定不可である原因を特定する原因特定部と、前記原因特定部が特定した原因の解決方法を特定する解決方法特定部と、前記解決方法特定部が特定した解決方法に基づいて所定の処理を実行する実行部と、を備える構成とする。【選択図】図２
2014171192.tif 000002
【特許請求の範囲】
【請求項１】
設定画面を表示する設定画面表示部と、
前記設定画面表示部が設定画面に表示した設定項目に対して設定の可否を判定する判定部と、
前記判定部が設定不可と判定した設定項目が設定不可である原因を特定する原因特定部と、
前記原因特定部が特定した原因の解決方法を特定する解決方法特定部と、
前記解決方法特定部が特定した解決方法に基づいて所定の処理を実行する実行部と、
を備えることを特徴とするＡＶ機器。
【請求項２】
前記設定画面表示部が設定画面に表示した設定項目に対する決定操作を検出する操作検出部と備え、前記実行部は前記操作検出部の検出結果に基づいて所定の処理を実行する請求項１に記載のＡＶ機器。
【請求項３】
前記解決方法特定部が特定した解決方法が他の設定項目の設定変更を要する場合に、前記実行部は前記所定の処理として前記他の設定項目の設定画面を表示する請求項１記載のＡＶ機器。
【請求項４】
前記他の項目が２以上ある場合に前記所定の処理は各他の設定項目の設定画面を設定変更を要する順に表示する請求項２記載のＡＶ機器。
【請求項５】
前記実行部は前記他の設定項目の設定画面の表示要求があった場合に前記他の設定項目の設定画面を表示する請求項１〜請求項３のいずれか１項に記載のＡＶ機器。
【請求項６】
前記解決方法特定部が特定した解決方法が他の設定項目の設定変更を要する場合に、前記実行部は前記所定の処理として前記他の設定項目の設定を変更して前記判定部により設定不可と判定された設定項目の設定を可能とする請求項１記載のＡＶ機器。
【請求項７】
前記実行部は前記他の設定項目の設定変更要求があった場合に前記他の設定項目の設定を変更して前記判定部により設定不可と判定された設定項目の設定を可能とする請求項５に記載のＡＶ機器。
【請求項８】
前記実行部は前記所定の処理としてさらに、前記解決方法特定部が特定した解決方法の少なくとも一部を報知する請求項２〜請求項６のいずれか１項に記載のＡＶ機器。
【請求項９】
前記実行部は解決方法の報知要求があった場合に前記解決方法特定部が特定した解決方法の少なくとも一部を報知する請求項７に記載のＡＶ機器。
【請求項１０】
前記設定画面表示部は前記判定部の判定結果に基づいて設定可能な設定項目と設定不可な設定項目とを視認可能に表示した設定画面を表示する請求項１〜請求項９のいずれか１項に記載のＡＶ機器。
【発明の詳細な説明】
【技術分野】
【０００１】
本発明は、設定画面において各種機能の設定を行うことができるＡＶ（Audio Visual）機器に関する。
【背景技術】
【０００２】
ＡＶ機器としてＣＤ、ＤＶＤ、ＢＤ（Blu-ray Disc（登録商標））、ハードディスクなどを記録媒体とする再生装置や記録再生装置、テレビ受像機などが普及している。近年、ＡＶ機器の多機能化や外部機器との接続によるシステム化に伴い、機器の設定画面においてユーザが設定できる項目が多くなっている。
【０００３】
それら項目の中には何らかの理由により現在操作できない状態にあるものもあり、グレーアウトで表示されるなど、現在操作できる項目（設定可能項目）とは視覚的に区別されていることが多い。現在操作できない項目（設定不可項目）について設定したい場合は何らかの操作を行って設定可能状態にしなければならないが、ユーザはなぜその項目が設定不可なのかを知ることが困難な場合がある。
【０００４】
ユーザへ現在の状態を知らせる技術として、特許文献１には、ユーザにより指定された操作を実行することができないときに、タイトル制作者又は装置仕様により操作が禁止されている場合は「タイトル制作者又は装置仕様により操作が禁止されている」旨のメッセージを表示し、該当するデータがなく操作が不可能である場合は「該当するデータがなく操作が不可能である」旨のメッセージを表示するＤＶＤ再生装置が開示されている。
【先行技術文献】
【特許文献】
【０００５】
【特許文献１】特開２００２−３１３０２９号公報
【発明の概要】
【発明が解決しようとする課題】
【０００６】
しかしながら、特許文献１の技術は再生に関する技術であり、機器の設定画面においてその項目が設定不可である原因を知ることができるものではない。そして、設定不可項目を設定可能にする方法を知ることもできない。したがって、ユーザは製品の説明書等を読んで対処方法を探してその対処方法に沿って操作を順次行う必要があるので時間と手間を要し、ユーザにとって各種機能の設定を容易に行うことができない状況が発生していた。
【０００７】
本発明は、各種機能の設定を行い易いＡＶ機器を提供することを目的とする。
【課題を解決するための手段】
【０００８】
上記目的を達成するために本発明は、設定画面を表示する設定画面表示部と、前記設定画面表示部が設定画面に表示した設定項目に対して設定の可否を判定する判定部と、前記判定部が設定不可と判定した設定項目が設定不可である原因を特定する原因特定部と、前記原因特定部が特定した原因の解決方法を特定する解決方法特定部と、前記解決方法特定部が特定した解決方法に基づいて所定の処理を実行する実行部と、を備えることを特徴とする。
【０００９】
上記のＡＶ機器において、前記設定画面表示部が設定画面に表示した設定項目に対する決定操作を検出する操作検出部と備え、前記実行部は前記操作検出部の検出結果に基づいて所定の処理を実行することが望ましい。
【００１０】
上記のＡＶ機器において、前記解決方法特定部が特定した解決方法が他の設定項目の設定変更を要する場合に、前記実行部は前記所定の処理として前記他の設定項目の設定画面を表示することが望ましい。
【００１１】
上記のＡＶ機器において、前記他の項目が２以上ある場合に前記所定の処理は各他の設定項目の設定画面を設定変更を要する順に表示することが望ましい。
【００１２】
また上記のＡＶ機器において、前記実行部は前記他の設定項目の設定画面の表示要求があった場合に前記他の設定項目の設定画面を表示することが望ましい。
【００１３】
また上記のＡＶ機器において、前記解決方法特定部が特定した解決方法が他の設定項目の設定変更を要する場合に、前記実行部は前記所定の処理として前記他の設定項目の設定を変更して前記判定部により設定不可と判定された設定項目の設定を可能とすることが望ましい。
【００１４】
また上記のＡＶ機器において、前記実行部は前記他の設定項目の設定変更要求があった場合に前記他の設定項目の設定を変更して前記判定部により設定不可と判定された設定項目の設定を可能とすることが望ましい。
【００１５】
また上記のＡＶ機器において、前記実行部は前記所定の処理としてさらに、前記解決方法特定部が特定した解決方法の少なくとも一部を報知することが望ましい。
【００１６】
また上記のＡＶ機器において、前記実行部は解決方法の報知要求があった場合に前記解決方法特定部が特定した解決方法の少なくとも一部を報知することが望ましい。
【００１７】
また上記のＡＶ機器において、前記設定画面表示部は前記判定部の判定結果に基づいて設定可能な設定項目と設定不可な設定項目とを視認可能に表示した設定画面を表示することが望ましい。
【発明の効果】
【００１８】
本発明によれば、設定画面に表示された設定項目に対して設定の可否が判定され、設定が不可な設定項目に関して設定不可である原因及びその原因の解決方法が特定されて所定の処理が実行される。つまりユーザは自身で設定が不可である設定項目に関して設定不可である原因及びその解決方法を特定する必要がない。加えて特定された解決方法に基づいて所定の処理が実行されるのでユーザはＡＶ機器の各種設定を行い易くなる。
【図面の簡単な説明】
【００１９】
【図１】本発明の一実施形態であるＨＤＤ一体型光ディスク装置の構成及びその周辺機器を示すブロック図
【図２】第１実施形態のＨＤＤ一体型光ディスク装置１０の制御部２６が実行する処理の流れを示すフローチャート
【図３】設定項目のツリーリストの一例を示す図
【図４】設定画面の第１の例を示す図
【図５】設定画面の第２の例を示す図
【図６】第１実施形態のＨＤＤ一体型光ディスク装置１０の制御部２６の実行部２６６が実行する処理の流れを示すフローチャート
【図７】設定画面の第３の例を示す図
【図８】設定画面の第４の例を示す図
【図９】設定画面の第５の例を示す図
【図１０】第２実施形態のＨＤＤ一体型光ディスク装置１０の制御部２６が実行する処理の流れを示すフローチャート
【図１１】設定画面の第６の例を示す図
【図１２】設定画面の第７の例を示す図
【図１３】設定画面の第８の例を示す図
【図１４】設定画面の第９の例を示す図
【発明を実施するための形態】
【００２０】
＜第１実施形態＞
以下に本発明のＡＶ機器の一実施形態としてＨＤＤ（ハードディスクドライブ）一体型光ディスク装置を例に説明する。なお、ＡＶ機器としてはＣＤ、ＤＶＤ、ＢＤ等の光ディスク、ハードディスクなどを記録媒体とする再生装置や記録再生装置、テレビ受像機などが挙げられる。
【００２１】
図１は、ＨＤＤ一体型光ディスク装置１０の構成及びその周辺機器を示すブロック図である。ＨＤＤ一体型光ディスク装置１０には、テレビ等の表示装置１１と、ケーブルテレビや衛星放送等のセットトップボックス又はビデオデッキ等の録画再生装置に代表される外部装置１２とが接続されている。本ＨＤＤ一体型光ディスク装置１０はＢＤ及びＤＶＤの録画／再生に対応している。またＨＤＤ一体型光ディスク装置１０は、リモコン１３によって操作可能である。
【００２２】
ＨＤＤ一体型光ディスク装置１０は、チューナ１６と、映像／音声圧縮伸長部１７と、ＨＤＤ記録再生部１８と、ＢＤ／ＤＶＤ記録再生部１９と、ＯＳＤ（On Screen Display）部２０と、映像出力部２１と、音声出力部２２と、メモリ２３と、リモコン受信部２４と、外部Ｉ／Ｆ２５と、制御部２６とを備えている。
【００２３】
チューナ１６は、アンテナ１５で受信したデジタルテレビ放送信号を復調、デジタル化する。映像／音声圧縮伸長部１７は、チューナ１６や外部装置１２から受け取った映像／音声データをＭＰＥＧ２等に準拠して圧縮符号化したり、ＨＤＤ記録再生部１８又はＢＤ／ＤＶＤ記録再生部１９で再生された圧縮された映像／音声データを伸長復号したりする。
【００２４】
ＨＤＤ記録再生部１８は、映像／音声圧縮伸長部１７から受け取った圧縮された映像／音声データをＨＤＤに記録したり、ＨＤＤに記録されたデータを再生したりする。ＢＤ／ＤＶＤ記録再生部１９は、映像／音声圧縮伸長部１７から受け取った圧縮された映像／音声データを挿入されたＤＶＤ又はＢＤに記録したり、ＤＶＤ又はＢＤに記録されたデータを再生したりする。
【００２５】
ＯＳＤ部２０は、各種設定値を表示装置１１の一部に表示しながら設定できるようにする。これにより、ユーザは設定画面で各種機能の設定を行うことができる。映像出力部２１は、ＯＳＤ部２０からの映像信号をアナログ化し、表示装置１１へ出力する。音声出力部２２は、映像／音声圧縮伸長部１７からの音声信号をアナログ化し、表示装置へ出力する。
【００２６】
メモリ２３は、ＲＯＭやＲＡＭからなり、各種プログラムや各種データ等を記憶する。リモコン受信部２４は、赤外線受光部等からなり、リモコン１３からの信号を受信する。外部Ｉ／Ｆ２５は、外部装置１２が接続される外部入力端子等からなる。
【００２７】
制御部２６は、マイクロプロセッサ等からなり、ＨＤＤ一体型光ディスク装置１０の各部を制御する。本実施形態において制御部２６は設定画面表示部２６１、判定部２６２、操作検出部２６３、原因特定部２６４、解決方法特定部２６５及び実行部２６６を有する。なお本実施形態では説明の簡略化のために一の制御部２６が設定画面表示部２６１、判定部２６２、操作検出部２６３、原因特定部２６４、解決方法特定部２６５及び実行部２６６を有する構成をを示したものであって当該構成に限られるものではない。例えば一の制御部２６が各部の機能を包括的に有することとしてもよいし、複数の機能を有する構成部（例えば原因特定部２６４及び解決方法特定部２６５の機能を有する原因・解決方法特定部）を有することとしてもよい。以下、図２のフローチャートに示す処理に沿って、各部の機能について詳説する。
【００２８】
図２は、第１実施形態のＨＤＤ一体型光ディスク装置１０の制御部２６が実行する処理の流れを示すフローチャートである。ユーザによりリモコン１３の設定キー等が操作されて各種機能の設定を行う設定画面の表示要求があると、ステップＳ１０において制御部２６の設定画面表示部２６１はメモリ２３から設定画面を読み出し、ＯＳＤ部２０を介して表示装置１１へ設定画面を出力する。設定項目が多い場合には設定項目の内容毎にジャンル分けされ複数階層を有する設定画面がメモリ２３に記憶されていてもよい。
【００２９】
最初に表示装置１１に表示される設定画面は第１層のメニューであり、そのメニューの内の１の項目が決定操作された場合に第２層のメニューが表示され、さらに第２層のメニューの内の１の項目が決定操作された場合に第３層のメニューが表示されるというように順次深い階層が表示される。図３には第３層までメニューを有する設定項目のツリーリストの一例を示す図であるが、階層数は３層に限られるものではなく、また、メニュー及び項目の数及び内容もこれに限られるものではない。
【００３０】
図４は設定画面３０の一例を示す図であり、設定画面３０には項目としてＣＥＣ（Consumer Electronics Control）などが表示されている。判定部２６２は設定画面３０に表示される各項目について設定の可否を判定する（以下、設定が可能な項目を「設定可能項目」といい、設定が不可な項目を「設定不可項目」ともいう。）。そして、設定可能項目は通常色（例えば黒色）で表示され、何らかの理由で現在設定内容を変更できない設定不可項目はグレーアウトで表示されている。グレーアウトすることで変更できない項目であることを視覚的に知らせることができる。図４では、「映像設定」、「ＣＥＣ」、「録画予約設定」、「初期設定」、「各種情報」の文字は通常色で表示され、「外部装置の連動」及び「表示装置の連動」の文字はグレーアウトで表示されている。また、各項目を選択するカーソル３１は、選択している項目（カーソルが当たっている項目）を反転表示させる。ユーザはリモコン１３の上下左右キー等でカーソル３１を移動させて所望の項目を選択することができ、グレーアウトされている項目も選択することができる。図４ではカーソル３１が「音声設定」上にあり、「音声設定」の文字は通常色の反転表示となっている。また、「音声設定」が決定操作されると、図４に示すように音声設定に関する第２層のメニューが表示される。
【００３１】
なお、設定画面の表示態様はこれに限られるものではなく、設定不可項目であることを視覚的に知らせるための他の態様で設定画面を表示することとしてもよい。例えば図５に示すように設定可能項目のみを配置した設定画面３０ａと設定不可項目のみを配置した設定画面３０ｂを並べて表示することとしてもよい。図５では設定画面３０ｂにおいて設定不可項目をグレーアウトで表示しておりユーザは左側の設定画面３０ａで設定可能項目であると視覚的に区別可能である。なお、設定可能項目と設定不可項目を同一のフォントで表示する場合には例えば設定画面３０ａの上部に「設定可能項目」、設定画面３０ｂの上部に「設定不可項目」等の文字を表示することで視覚的に区別可能に表示とすればよい。
【００３２】
ステップＳ１０からはステップＳ１１へ進んで、制御部２６の操作検出部２６１は設定画面において設定不可項目（第１の項目）に対して決定操作が行われたか否かを判定する。そして、ステップＳ１１において設定不可項目に対して決定操作が行われると、ステップＳ１２へ進む。
【００３３】
なお、本フローチャートでは設定不可項目に対して決定操作が行われた場合に以下のフローチャートに進むこととしているがこれに限られるものではなく、設定不可項目に対して決定操作が行われない場合にもステップS１２に以降に進むこととしてもよい。すなわち判定部２６２により、第１の項目が設定不可であると判定された場合にステップS１２に進んで第１の項目が設定不可である原因を特定することとしてもよい。
【００３４】
ステップＳ１２において制御部２６の原因特定部２６４はステップＳ１０で決定操作が行われた第１の項目が設定不可である原因を特定する。そして、ステップ１２において第１の項目が設定不可である原因を特定した場合に、ステップＳ１３に進む。
【００３５】
ステップＳ１３において制御部２６の解決方法特定部２６５はステップＳ１２で原因特定部２６４が特定した原因の解決方法を特定する。そして、ステップＳ１３において解決方法を特定した場合に、ステップＳ１４に進む。
【００３６】
ステップＳ１４において制御部２６の実行部２６６は所定の制御を実行する。ここで実行部２６６が実行する所定の制御について図６を参照して詳説する。図６は実行部２６６が実行する処理の流れを示すフローチャートである。ステップＳ２０において実行部２６６は図２のフローチャートのステップＳ１３で解決方法特定部２６５が特定した方法が、設定可能項目である他の項目（第１の項目とは異なる第２の項目）の設定を変更することであるか否かを判定する。言い換えれば他の項目の設定を変更することで第１の項目が設定可能となるか否かを判定する。解決方法特定部２６５が特定した方法が、設定可能な他の項目（第１の項目とは異なる第２の項目）の設定を変更することでなければステップＳ２１に進み、そうであればステップＳ２２に進む。
【００３７】
ステップＳ２１において実行部２６６は第１の項目が設定不可な原因及び／又は第１の項目を設定可能とするための解決方法を報知する。第１の項目が設定不可な原因及び第１の項目を設定可能とするための解決方法を報知する場合を例に説明する。
【００３８】
図４に示す設定画面では上述したように「表示装置の連動」はグレーアウトされ設定不可項目である。この「表示装置の連動」が選択されて決定操作が行われた場合であって、「表示装置の連動」が設定不可である原因がＨＤＭＩが差さっていないことである場合には、図７に示すように「ＨＤＭＩが差さっていないため表示装置の連動の設定ができません」というメッセージが表示された画面４０を表示装置１１の下部のスペースに表示する。ユーザは当該メッセージを見ることで設定不可である原因（ＨＤＭＩが差さっていない）及び設定可能とするための方法（ＨＤＭＩを差す）を認識することができる。なお、このメッセージとともにＨＤＭＩ端子の位置を示す画像を表示すると、ユーザがより理解しやすくなる。
【００３９】
なお、本ステップで第１の項目が設定不可な原因として特定される他の例としては、解像度の設定において表示装置側が対応していない解像度がある場合など、主に外部機器に関するものが挙げられる。
【００４０】
また、画面４０を表示する位置は表示装置１１の下部に限られるものではなく任意の位置とすればよい。表示装置１１内の空きスペース（文字が表示されていない部分）を活用することで設定画面を隠すことなく画面４０等を表示することが可能である。空きスペースが存在しない場合は例えば画面４０等をポップアップ画面として表示装置１１の中央部にポップアップすることとしてもよい。
【００４１】
また、本例では報知の態様として表示装置１１に表示する場合について説明したが、例えばスピーカ等を介して音声案内にて報知することとしてもよい。
【００４２】
ステップＳ２２において実行部２６６は第２の項目の設定の変更に関して、自動で第２の項目の設定を変更するモード（自動設定モード）であるか、手動で第２の項目の設定を変更するモード（手動設定モード）であるかを判定する。第２の項目の変更に関して自動設定モードとするか手動設定モードとするかはユーザが設定可能とされる。第２の項目の設定の変更に関して自動設定モードであればステップＳ２３に進み、手動設定モードであればステップＳ２４に進む。
【００４３】
ステップＳ２３において実行部２６６は第１の項目が設定可能となるように第２の項目の設定を変更する。なお、実行部２６６は第２の項目の設定を変更した後に、例えば図８に示すように「ＣＥＣの設定をオンにしました」というメッセージが表示された画面５０を表示することとしてもよい。これによりユーザはどの項目の設定が変更されたかを認識することができる。
【００４４】
ステップＳ２４において実行部２６６は第２の項目の設定を変更可能な設定画面を表示する。例えば図９に示すようにポップアップ画面５０が表示装置１１の中央部に表示される。ポップアップ画面６０には、「ＣＥＣがオフになっているため表示装置の連動の設定を変更できません。オンにしますか？」というメッセージが表示されるとともに、「はい」又は「いいえ」が選択決定可能に表示される。ユーザは設定内容を変更したい場合、すなわちＣＥＣの設定を「入」にしたい場合には「はい」にカーソルを当てた状態で決定操作を行えばよい（決定キーを押下すればよい）。
【００４５】
このような画面５０が表示されない場合にユーザはカーソルを「表示装置の連動」から「ＣＥＣ」に移動して「ＣＥＣ」を選択すると共に決定操作を行って「ＣＥＣ」の第２層の項目を表示した上で、ＣＥＣの設定を変更しなければならず手間である（図３参照）。これに比べて本例では画面５０に表示される「はい」を決定操作するだけでＣＥＣの設定が変更できる。
【００４６】
なお、本ステップでは画面６０を表示装置１１の中央部にポップアップ表示することとしたが表示装置１１内の空きスペースに表示することとしてもよい。
【００４７】
本実施形態によれば、本発明によれば、設定画面の設定不可項目対して決定操作を行った場合に、設定不可である原因及びその原因の解決方法が特定されて所定の処理が実行される。つまりユーザは自身で決定操作に係る項目が設定不可である原因及びその解決方法を特定する必要がない。加えて特定された解決方法に基づいて所定の処理が実行されるのでユーザはＡＶ機器の各種設定を行い易くなる。
【００４８】
また、解決方法が他の項目の設定変更を要する場合に、所定の制御として他の項目の設定の設定画面が表示されるのでユーザは表示された設定画面に対して決定操作を行うだけで簡単に設定不可であった項目を設定可能とすることができる。或いは、自動的に他の項目の設定が変更して設定不可であった項目を設定可能とするので、ユーザによる操作を要さず設定不可であった項目を設定可能とすることができる。
【００４９】
また、設定画面に設定可能項目と設定不可項目がある場合に、両者を視覚的に区別可能に表示するので、ユーザが設定可能項目と設定不可項目を間違えることがない。
【００５０】
＜第２実施形態＞
図２及び図６に示したフローチャートでは設定不可項目に対して決定操作が行われた（図２のフローチャートのステップＳ１１）後に各ステップの処理が行われて所定の制御が行われることとした。しかしながら所定の制御は設定不可項目に対して決定操作が行われた場合にのみ行われるものでなくてもよく、例えば設定不可項目に対して決定操作が行われる前、すなわち選択状態においても所定の処理を実行することとしてもよい。図１０は第２実施形態のＨＤＤ一体型光ディスク装置１０の制御部２６が実行する処理の流れを示すフローチャートである。
【００５１】
なお、上述したように第２実施形態の制御部２６は図２に示すフローチャートの処理と図１０に示すフローチャートの処理の双方を行う。両フローチャートで共通する判定フローに関しては一方の判定フローの結果に基づいて順次処理を実行すればよい。図２のフローチャートのステップＳ１０、Ｓ１２、Ｓ１３は夫々図１０のフローチャートＳ３０、Ｓ３２、３３と同様であるため説明を省略する。
【００５２】
ステップＳ３１において制御部２６は設定画面において設定不可項目（第１項目）が選択されたか否かを判別する。そして、ステップＳ３１において設定不可項目が選択されると、ステップＳ３２へ進む。
【００５３】
ステップＳ３４において実行部２６６は第１の項目が設定不可な原因及び／又は第１の項目を設定可能とするための解決方法を報知する。第１の項目が設定不可な原因及び第１の項目を設定可能とするための解決方法を報知する場合を例に説明する。
【００５４】
図４に示す設定画面では上述したように「表示装置の連動」はグレーアウトされ設定不可項目である。この「表示装置の連動」が選択された場合に「表示装置の連動」が設定不可である原因が、ＣＥＣの設定がオフ（切）になっていることである場合に、図１１に示すように「ＣＥＣがオフであるため表示装置の連動の設定ができません。」というメッセージが表示された画面７０を表示装置１１の下部のスペースに表示する。ユーザは当該メッセージを見ることで設定不可である原因（ＣＥＣがオフである）及び設定可能とするための方法（ＣＥＣをオンにする）を認識することができる。
【００５５】
なお、画面７０を表示する位置は表示装置１１の下部に限られるものではなく任意の位置とすればよい。表示装置１１内の空きスペース（文字が表示されていない部分）を活用することで設定画面を隠すことなく画面７０等を表示することが可能である。空きスペースが存在しない場合は例えば画面７０等をポップアップ画面として表示装置１１の中央部にポップアップすることとしてもよい。また、本例では報知の態様として表示装置１１に表示する場合について説明したが、例えばスピーカ等を介して音声案内にて報知することとしてもよい。
【００５６】
本実施形態によれば第１実施形態と同様の効果を奏する。加えて、設定画面において設定不可項目選択され、決定操作されていないときに、その項目が設定不可な原因及び／又は第１の項目を設定可能とするための解決方法が報知されるので、ユーザはその項目の設定内容を変更できない原因を見て、その後の操作の参考にすることができる。また、設定画面において設定不可項目にカーソルが当たるだけで自動的にその項目が設定不可な原因及び／又は第１の項目を設定可能とするための解決方法が報知されるので、ユーザは通常のカーソル操作をするだけであり、取扱説明書等を読むのに比べて容易且つ短時間で原因及び／又は解決方法を知ることができる。
【００５７】
＜その他＞
第１実施形態及び第２実施形態では図２のフローチャートのステップＳ１３又は図１０のフローチャートのＳ３３で原因特定部２６４が特定した原因に対する解決方法を解決方法特定部２６５が特定した場合に所定の制御を実行することとしているが、所定の制御を実行する前に実行の要否を選択可能に表示した画面を表示することとしてもよい。実行の要否を選択可能に表示した画面を表示するタイミングは所定の処理を実行する前の任意のタイミングであればよいが、以下では所定の処理を実行する直前に表示する場合を例に説明を行う。
【００５８】
例えば図６のフローチャートのステップＳ２１の処理を行う前に、図１２に示すような「設定不可です。原因、解決方法を表示しますか？」というメッセージが表示されたポップアップ画面８０を表示装置１１の中央部に表示するとともに、「はい」又は「いいえ」が選択決定可能に表示する。また、ステップＳ２３を行う前に、図１３に示すような、「設定不可です。設定可能に変更しますか？」というメッセージが表示されたポップアップ画面９０を表示装置１１の中央部に表示するとともに、「はい」又は「いいえ」が選択決定可能に表示する。また、ステップＳ２４を行う前に、図１４に示すような、「設定不可です。設定可能にしたいですか？」というメッセージが表示されたポップアップ画面１００を表示装置１１の中央部に表示するとともに、「はい」又は「いいえ」が選択決定可能に表示する。ユーザは各画面８０、９０、１００で「はい」を決定操作して所定の処理の実行を要求する。
【００５９】
図９のフローチャートでも同様に所定の処理が実行される前に、「設定不可です。原因、解決方法を表示しますか？」というメッセージが表示されたポップアップ画面を表示装置１１の中央部に表示するとともに、「はい」又は「いいえ」が選択決定可能に表示すればよい。所定の制御を実行する前に実行の要否が選択可能であるため、許可なく（要求なく）所定の処理が実行されることがない。
【００６０】
また、第１実施形態及び第２実施形態では第１の項目を設定不可状態から設定可能状態にするために他の項目である第２の項目の設定を変更する場合について説明したが、第１の項目を設定可能状態にするために複数の他の項目の設定の変更を要する場合にも適用可能である。
【００６１】
その際、また、図６のステップＳ２１で解決方法の全部を表示することとしてもよいが、解決方法が複数の項目の設定変更に係るものとなって文字数が多くなり理解が困難となる可能性がある。そこで解決方法の一部（複数の項目のうち、任意の数の項目の設定の変更を要する旨）を報知することとしてもよい。また、図６のステップＳ２４で全ての他の項目の設定画面を表示することとしてもよいし、設定変更を要する順に設定画面を表示することとしてもよい。後者の場合には設定の順序が分かりユーザにとって利便性が高い。
【００６２】
また、第１実施形態及び第２実施形態では図２のフローチャートのステップＳ１２、Ｓ１３及び図１０のフローチャートのステップＳ２２、Ｓ２３において特定できなかった場合に処理を終了することとしているが、原因が特定できなかったこと又は解決方法を特定できなかったことを報知する制御を行うこととしてもよい。
【００６３】
また、第１実施形態の設定画面で設定不可項目と設定可能項目を視覚的に区別可能な表示を行う例について説明を行ったが、さらに、設定画面において設定不可項目を選択不能とする設定を行うことができることとしてもよい。例えば設定画面において設定不可項目を非表示にし、或いは、設定不可項目を表示しつつも選択不能とする。後者は例えば図４に設定画面が表示されている場合に、カーソルを下方向に一つ移動すると「ＣＥＣ」が選択されるが、さらにカーソルを下方向に一つ移動した場合に「外部装置の連動」ではなく「録画予約設定」が選択される。
【符号の説明】
【００６４】
１０  ＨＤＤ一体型光ディスク装置（ＡＶ機器）
１１  表示装置
１２  外部装置
１３  リモコン
１５  アンテナ
１６  チューナ
１７  映像／音声圧縮伸長部
１８  ＨＤＤ記録再生部
１９  ＢＤ／ＤＶＤ記録再生部
２０  ＯＳＤ部
２１  映像出力部
２２  音声出力部
２３  メモリ
２４  リモコン受信部
２５  外部Ｉ／Ｆ
２６  制御部
２６１  設定画面表示部
２６２  判定部
２６３  操作検出部
２６４  原因特定部
２６５  解決方法特定部
２６６  実行部
【図１】
2014171192.tif 000003
【図２】
2014171192.tif 000004
【図３】
2014171192.tif 000005
【図４】
2014171192.tif 000006
【図５】
2014171192.tif 000007
【図６】
2014171192.tif 000008
【図７】
2014171192.tif 000009
【図８】
2014171192.tif 000010
【図９】
2014171192.tif 000011
【図１０】
2014171192.tif 000012
【図１１】
2014171192.tif 000013
【図１２】
2014171192.tif 000014
【図１３】
2014171192.tif 000015
【図１４】
2014171192.tif 000016